【事件の表示】
　商願２００２−　８０９１０拒絶査定不服審判事件について、次のとおり審決する。
【結　論】
　原査定を取り消す。
　本願商標は、登録すべきものとする。
【理　由】
１　本願商標
　本願商標は、別掲（１）のとおりの構成からなり、第９類、第１６類、第１８類、第２５類、第２８類、第３５類、第４１類及び第４５類に属する願書記載のとおりの商品及び役務を指定商品及び指定役務として、平成１４年９月２４日に登録出願され、その後、第１６類及び第２５類に属する各指定商品については、原審における同１５年７月２日付け手続補正書をもって、第１６類及び第２５類に属する該手続補正書に記載のとおりの商品に補正されたものである。
　
２　引用商標
　原査定において、本願の拒絶の理由に引用した登録第２１３９４６５号商標（以下、「引用商標１」という。）は、「Ｂｅａｔ」の欧文字を横書きにしてなり、昭和５０年１０月１８日登録出願、第１１類「ステレオ電気蓄音機」を指定商品として、平成元年５月３０日に設定登録され、その後、同１１年１月１９日に商標権の存続期間の更新登録がされ、現に有効に存続しているものである。
　同じく、登録第２１８５７６３号商標（以下、「引用商標２」という。）は、「冒険王」の漢字を横書きにしてなり、昭和６２年９月２９日登録出願、第１７類「被服、布製身回品、寝具類」を指定商品として、平成元年１１月２８日に設定登録され、その後、同１２年１月１１日に商標権の存続期間の更新登録がされ、現に有効に存続しているものである。
　同じく、登録第２２１０９８４号商標（以下、「引用商標３」という。）は、「冒険王」の漢字を横書きにしてなり、昭和６２年１０月１６日登録出願、第２１類「装身具、ボタン類、かばん類、袋物、宝玉およびその模造品、造花、化粧用具」を指定商品として、平成２年２月２３日に設定登録され、その後、同１２年３月１４日に商標権の存続期間の更新登録がされ、現に有効に存続しているものである。
　同じく、登録第２２６０３８６号商標（以下、「引用商標４」という。）は、「冒険王」の漢字を横書きにしてなり、昭和６２年１０月１６日登録出願、第２２類「はき物、かさ、つえ、これらの部品及び附属品」を指定商品として、平成２年８月３０日に設定登録され、その後、同１２年９月５日に商標権の存続期間の更新登録がされ、現に有効に存続しているものである。
　同じく、登録第２２６４５６２号商標（以下、「引用商標５」という。）は、「冒険王」の漢字を横書きにしてなり、昭和６２年１０月１６日登録出願、第２５類「紙類、文房具類」を指定商品として、平成２年９月２１日に設定登録され、その後、同１２年９月５日に商標権の存続期間の更新登録がされ、現に有効に存続しているものである。
　同じく、登録第２３２６３１２号商標（以下、「引用商標６」という。）は、「冒険王」の漢字を横書きにしてなり、昭和６３年９月２７日登録出願、第２３類「眼鏡、その他本類に属する商品」を指定商品として、平成３年８月３０日に設定登録され、その後、同１３年９月４日に商標権の存続期間の更新登録がされ、さらに、同１５年１月８日に指定商品を第９類「眼鏡」及び第１４類「時計」とする指定商品の書換登録がされ、現に有効に存続しているものである。
　同じく、登録第２４５０２０４号商標（以下、「引用商標７」という。）は、別掲（２）のとおりの構成からなり、平成元年２月１０日登録出願、第２３類「サングラス」を指定商品として、同４年８月３１日に設定登録され、その後、同１４年７月９日に商標権の存続期間の更新登録がされ、さらに、同１６年６月２３日に指定商品を第９類「サングラス」とする指定商品の書換登録がされ、現に有効に存続しているものである。
　同じく、登録第２４７９８４８号商標（以下、「引用商標８」という。）は、「ＢＥＡＴ」の欧文字を横書きにしてなり、平成２年１１月２８日登録出願、第２１類「装身具、ボタン類、かばん類、袋物、宝玉及びその模造品、造花、化粧用具」を指定商品として、同４年１１月３０日に設定登録され、その後、同１４年１１月２６日に商標権の存続期間の更新登録がされ、さらに、同１５年９月１０日に指定商品を第３類「つけづめ，つけまつ毛」、第６類「金属製のバックル」、第８類「ひげそり用具入れ，ペディキュアセット，マニキュアセット」、第１０類「耳かき」、第１４類「身飾品（「カフスボタン」を除く。），カフスボタン，貴金属製のがま口及び財布，宝玉及びその模造品，貴金属製コンパクト」、第１８類「かばん類，袋物，携帯用化粧道具入れ」、第２１類「化粧用具（「電気式歯ブラシ」を除く。）」、第２５類「ガーター，靴下止め，ズボンつり，バンド，ベルト」及び第２６類「頭飾品，つけあごひげ，つけ口ひげ，ヘアカーラー（電気式のものを除く。），腕止め，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，ボタン類，造花（「造花の花輪」を除く。）」とする指定商品の書換登録がされ、現に有効に存続しているものである。
　同じく、登録第２５２２７０５号商標（以下、「引用商標９」という。）は、「ＢＥＡＴ」の欧文字を横書きにしてなり、平成２年１１月２８日登録出願、第２３類「眼鏡」を指定商品として、同５年４月２８日に設定登録され、その後、同１５年５月２７日に商標権の存続期間の更新登録がされ、さらに、同１５年１２月１０日に指定商品を第９類「眼鏡」とする指定商品の書換登録がされ、現に有効に存続しているものである。
　同じく、登録第２６２５２５８号商標（以下、「引用商標１０」という。）は、「ＢＥＡＴ」の欧文字を横書きにしてなり、平成３年９月４日登録出願、第２５類「紙類、文房具類」を指定商品として、同６年２月２８日に設定登録され、その後、同１６年２月１０日に商標権の存続期間の更新登録がされ、さらに、同１６年１０月１３日に指定商品を第１類「試験紙」、第２類「謄写版用インキ，絵の具」、第５類「防虫紙」、第８類「パレットナイフ」、第９類「計算尺」、第１６類「紙類，文房具類」、第１７類「コンデンサーペーパー，石綿紙，バルカンファイバー」、第２４類「布製ラベル」、第２７類「壁紙」、第２８類「昆虫採集用具」及び第３４類「紙巻きたばこ用紙」とする指定商品の書換登録がされ、現に有効に存続しているものである。
　同じく、登録第２６３９４７９号商標（以下、「引用商標１１」という。）は、「冒険王」の漢字を横書きにしてなり、平成３年９月１８日登録出願、第１１類「電気機械器具、電気通信機械器具、電子応用機械器具（医療機械器具に属するものを除く）電気材料」を指定商品として、同６年３月３１日に設定登録されたものであるが、その後、その商標権は、同１６年３月３１日に存続期間の満了により消滅し、同１６年１２月１５日にその抹消の登録がされているものである。
　同じく、登録第２７０９０６５号商標（以下、「引用商標１２」という。）は、「ビート」の片仮名文字を横書きにしてなり、昭和６２年９月９日登録出願、第１１類「電気機械器具、電子応用機械器具、電気材料」を指定商品として、平成７年７月３１日に設定登録され、現に有効に存続しているものである。
　同じく、登録第３１８１２５０号商標（以下、「引用商標１３」という。）は、「ＢＥＡＴ」の欧文字を横書きにしてなり、平成５年３月８日登録出願、第９類「理化学機械器具，測定機械器具，写真機械器具，映画機械器具，光学機械器具，火災報知機，事故防護用手袋，盗難警報器，防火被服，防じんマスク，防毒マスク，溶接マスク」を指定商品として、同８年７月３１日に設定登録され、現に有効に存続しているものである。
　同じく、登録第３２６７４３４号商標（以下、「引用商標１４」という。）は、別掲（３）のとおりの構成からなり、商標法の一部を改正する法律（平成３年法律第６５号）附則第５条第１項の規定により使用に基づく特例の適用を主張し、平成４年９月２９日登録出願、第３５類「ダイレクトメールによる広告の代理，チラシの作成」を指定役務として、同９年３月１２日に設定登録され、現に有効に存続しているものである。
　同じく、登録第３３６４１９９号商標（以下、「引用商標１５」という。）は、「ＢＥＡＴ」の欧文字を横書きにしてなり、平成５年９月１日登録出願、第２８類「運動用具，釣り具」を指定商品として、同９年１２月５日に設定登録され、現に有効に存続しているものである。
　同じく、登録第４１６４２９９号商標（以下、「引用商標１６」という。）は、「ＢＥＡＴ」の欧文字を横書きにしてなり、平成９年３月２８日登録出願、第２５類「履き物」を指定商品として、同１０年７月１０日に設定登録され、現に有効に存続しているものである。
　同じく、登録第４３２９０４７号商標（以下、「引用商標１７」という。）は、「冒険王」の漢字（標準文字による）を横書きにしてなり、平成１０年１０月２９日登録出願、第１６類「雑誌」を指定商品として、同１１年１０月２９日に設定登録され、現に有効に存続しているものである。
　
３　当審の判断
　本願商標は、別掲（１）のとおり、左上方に白色の縁を設けた黒色の「冒険王」の漢字を配し、その右やや下方に、わずかに図案化してなる中抜き文字で「ビィト」の片仮名文字を配するとともに、該「ビィト」の片仮名文字の「ビ」の上方に接するように「ぼうけんおう」の平仮名文字を配し、さらに、該「冒険王」の漢字の下方に、「Ｚ」字状に折り曲げたリボン様の図形並びに該図形に重ねるように「ＢＥＥＴ」及び「ＴＨＥ　ＶＡＮＤＥＬ　ＢＵＳＴＲＥＲ」の各欧文字を表したものを配してなるところ、その構成中の「ぼうけんおう」の平仮名文字は、その左方に位置する「冒険王」の漢字の読みを表したものと容易に理解、認識されるものであることに加え、該「冒険王」の漢字と該「ビィト」の片仮名文字とは、隙間なく接するように表されていることから、これに接する取引者、需要者は、これら「冒険王」、「ぼうけんおう」及び「ビィト」の各文字が位置するところと相俟って、該「冒険王」の漢字及び該「ビィト」の片仮名文字を一体的なものとして看取すると判断するのが自然であり、さらに、該文字全体から生ずる「ボウケンオウビート」の称呼もよどみなく一連に称呼し得るものである。
　また、本願商標の構成中、該「冒険王」の漢字の下方に位置する「Ｚ」字状に折り曲げたリボン様の図形並びに該図形に重ねるように「ＢＥＥＴ」及び「ＴＨＥ　ＶＡＮＤＥＬ　ＢＵＳＴＲＥＲ」の各欧文字を表したものは、視覚上、本願商標の構成中の他の文字と分離して看取される場合もあるとするのが相当であるものの、その構成中の「ＢＥＥＴ」及び「ＴＨＥ　ＶＡＮＤＥＬ　ＢＵＳＴＲＥＲ」の各欧文字についてみれば、該「ＢＥＥＴ」の「Ｂ」の文字、「ＶＡＮＤＥＬ」の「Ｖ」の文字及び「ＢＵＳＴＥＲ」の「Ｂ」の文字の各文字は同一の書体で表されており、かつ、これら以外の文字についても、その大きさにわずかな差異を有するものの同一の書体で表されていることから、これに接する取引者、需要者は、該欧文字に重なるように「Ｚ」字状に折り曲げたリボン様の図形が配されていることと相俟って、該「ＢＥＥＴ」及び「ＴＨＥ　ＶＡＮＤＥＬ　ＢＵＳＴＲＥＲ」の各欧文字を一体的なものとして看取すると判断するのが自然であり、さらに、該欧文字全体から生ずる「ビートザバンデルバスター」の称呼もよどみなく一連に称呼し得るものである。
　そうとすると、本願商標は、その構成中の「冒険王」の漢字及び「ビィト」の片仮名文字に相応する「ボウケンオウビート」の称呼を生ずるほか、同じく、「ＢＥＥＴ」及び「ＴＨＥ　ＶＡＮＤＥＬ　ＢＵＳＴＲＥＲ」の各欧文字に相応する「ビートザバンデルバスター」の称呼をも生ずるものである。
　したがって、本願商標から「ボウケンオウ」又は「ビート」の称呼をも生ずるとし、その上で、本願商標と引用商標１ないし１０及び引用商標１２ないし１７とが各々称呼上類似するものとして、本願商標を商標法第４条第１項第１１号に該当するとした原査定は、取消しを免れない。
　なお、引用商標１１に係る商標権は、上記２において述べたとおり、存続期間の満了により消滅し、その抹消の登録がされているものであるから、これをもって、本願商標が商標法第４条第１項第１１号に該当するとして本願を拒絶した原査定の拒絶の理由は、解消した。
　その他、政令で定める期間内に本願について拒絶の理由を発見しない。
　よって、結論のとおり審決する。